(57)【特許請求の範囲】
【請求項１】
対応する雄型管継手部材に取り外し可能に連結される雌型管継手部材であって、
雄型管継手部材が挿入される前端開口から後方に延在する流体通路を有する筒状の継手本体と、
該継手本体に該継手本体の径方向で変位可能に保持され、該継手本体の内周面から内側に突出して該流体通路内に挿入された雄型管継手部材を係止する施錠位置と、該施錠位置よりも外側に位置し該雄型管継手部材への係止を解除する施錠解除位置との間で変位可能とされた施錠子と、
該継手本体の外周面上に配置され、該施錠子に径方向外側から係合して該施錠子を該施錠位置に保持する中間保持位置と、該中間保持位置よりも前方に位置し該施錠子が該施錠解除位置となることを許容する前方解放位置と、該中間保持位置よりも後方に位置し該施錠子が該施錠解除位置となることを許容する後方解放位置との間で、該継手本体の長手軸線の方向で変位可能とされたスリーブと、
該継手本体と該スリーブとの間に配置され、該スリーブを該中間保持位置に向かって付勢するスプリングと、
を備え、
該スリーブが、該中間保持位置において、該後方解放位置への変位が許容される後退許容位置と、該前方解放位置への変位は許容されるが該後方解放位置への変位は阻止される後退阻止位置との間で、該継手本体の周方向で回動可能とされ、
該継手本体と該スリーブとのうちの一方が、他方に向かって突出する係止突起を有し、該他方が該係止突起を受け入れる突起受部を有し、
該突起受部が、該スリーブが該中間保持位置において該後退許容位置と該後退阻止位置との間で回動したときに該係止突起が通る周方向中間通路と、該スリーブが該後退許容位置において該中間保持位置から該後方解放位置に変位したときに該係止突起が通るように該周方向中間通路から前方に延在する長手方向前方通路と、該スリーブが該後退阻止位置において該中間保持位置から該前方解放位置に変位したときに該係止突起が通るように該周方向中間通路から後方に延在する長手方向後方通路と、を有しており、
該スリーブが該後退阻止位置において該中間保持位置から該後方解放位置に向かって動かされたときには、該係止突起が該他方に該長手軸線の方向で当接して該スリーブが該後方解放位置にまで変位することが阻止され、該スリーブが該後退許容位置において該前方解放位置に向かって動かされたときには、該係止突起が該周方向中間通路において該他方に該長手軸線の方向で当接して該スリーブが該前方解放位置にまで変位することが阻止されるようにされた、雌型管継手部材。
【請求項２】
該スプリングの一端が該継手本体に該周方向で固定されるように保持され、該スプリングの他端が該スリーブに該周方向で固定されるように保持されており、該スプリングが該スリーブを該後退阻止位置と該後退許容位置との間の前進後退阻止位置に向かって付勢するようにされており、
該スリーブが該前進後退阻止位置において該前方解放位置及び該後方解放位置に向かって動かされたときには、該係止突起が該周方向中間通路において該他方に該長手軸線の方向で当接して該スリーブが該前方解放位置及び該後方解放位置にまで変位することが阻止されるようにされた、請求項１に記載の雌型管継手部材。
【請求項３】
該継手本体の外周面が、前方に面する第１支持面と、該第１支持面よりも前方の位置において後方に面する第２支持面とを有し、
該スリーブの内周面が、前方に面する第３支持面と、該第３支持面よりも前方の位置において後方に面する第４支持面とを有し、
該スプリングが、該第１支持面と該第２支持面との間であり且つ該第３支持面と第４支持面との間である位置に設定され、
該スリーブが該中間保持位置から前方に変位したときには、該スプリングは該第２支持面と該第３支持面との間で圧縮されて該スリーブを該継手本体に対して後方に付勢し、該スリーブが該中間保持位置から後方に変位したときには、該スプリングは該第１支持面と該第４支持面との間で圧縮されて該スリーブを該継手本体に対して前方に付勢するようにされた、請求項１又は２に記載の雌型管継手部材。
【請求項４】
請求項１乃至３のいずれか一項に記載の雌型管継手部材と、
該雌型管継手部材の該流体通路内に挿入されて該雌型管継手部材に取り外し可能に連結される雄型管継手部材と、
を備える管継手。
【発明の詳細な説明】
【技術分野】
【０００１】
本発明は、管継手に関し、より詳細には、雄型管継手部材と雌型管継手部材との着脱を迅速且つ簡易に行うことが可能な管継手に関する。
【背景技術】
【０００２】
従来から、配管同士の着脱を迅速に行うようにすることを可能とする、雄型管継手部材と雌型管継手部材とからなる管継手が知られている。このような管継手の雌型管継手部材は、例えば特許文献１に開示されているように、通常、流体通路を有する筒状の継手本体と、継手本体に径方向で変位可能に保持された施錠子と、継手本体の外周面上で前後方向に摺動可能に配置されたスリーブと、スリーブを継手本体に対して前方に付勢するスプリングとを備える。スリーブが前方位置にあるときには施錠子はスリーブによって継手本体の内周面から突出した位置に保持され、スリーブが後方位置にあるときには施錠子は径方向外側に自由に変位可能な状態となる。雌型管継手部材を雄型管継手部材に連結する際には、スリーブをスプリングの付勢力に抗して後方位置に変位させてそれを保持した状態で、雌型管継手部材の流体通路内に雄型管継手部材が挿入されるようにする。また、雌型管継手部材を雄型管継手部材から分離する際には、スリーブをスプリングの付勢力に抗して後方位置に変位させてそれを保持した状態で、雌型管継手部材を雄型管継手部材から引き離すようにする。
【０００３】
なお、特許文献１に開示の管継手においては、スリーブが後方位置に変位することを阻止するようにしたロック機構が設けられている。具体的には、継手本体に突起部を設け、スリーブに突起部を受け入れる大きさの切欠き部を設けて、スリーブの周方向位置が切欠き部と突起部とが整列する位置となっているときにだけスリーブを後方に引くことができるようになっている。連結後にスリーブを回転させて切欠き部が突起部からずれた位置となるようにすることで、連結状態においてスリーブが誤って後方に引かれて雌型管継手部材と雄型管継手部材との連結が不意に解除されることがなくなるようになっている。
【先行技術文献】
【特許文献】
【０００４】
【特許文献１】特開２０１４−１６９７１８号公報
【発明の概要】
【発明が解決しようとする課題】
【０００５】
上述のような従来の管継手における雌型管継手部材と雄型管継手部材とを互いに連結する際には、スリーブを後方に引いている状態で雌型管継手部材を雄型管継手部材に向けて移動させなければならない。スリーブを引く方向と雌型管継手部材を移動させる方向とが逆であるため、このような操作を行うには、スリーブを継手本体に対して後方位置に保持するように把持しつつ継手本体も把持した状態で、雌型管継手部材を雄型管継手部材に向けて移動させて連結するようにしなければならないが、このような操作は片手ではやりづらく、また両手で行うと雄型管継手部材を保持することができなくなり、連結操作を迅速且つ簡易に行うことができなくなる虞がある。
【０００６】
そこで本発明は、上記従来技術の問題点に鑑み、より迅速且つ容易に連結および離脱の操作をすることが可能となる雌型管継手部材、及び該雌型管継手部材とそれに連結される雄型管継手部材とからなる管継手を提供することを目的とする。
【課題を解決するための手段】
【０００７】
すなわち本発明は、
対応する雄型管継手部材に取り外し可能に連結される雌型管継手部材であって、
雄型管継手部材が挿入される前端開口から後方に延在する流体通路を有する筒状の継手本体と、
該継手本体に該継手本体の径方向で変位可能に保持され、該継手本体の内周面から内側に突出して該流体通路内に挿入された雄型管継手部材を係止する施錠位置と、該施錠位置よりも外側に位置し該雄型管継手部材への係止を解除する施錠解除位置との間で変位可能とされた施錠子と、
該継手本体の外周面上に配置され、該施錠子に径方向外側から係合して該施錠子を該施錠位置に保持する中間保持位置と、該中間保持位置よりも前方に位置し該施錠子が該施錠解除位置となることを許容する前方解放位置と、該中間保持位置よりも後方に位置し該施錠子が該施錠解除位置となることを許容する後方解放位置との間で、該継手本体の長手軸線の方向で変位可能とされたスリーブと、
該継手本体と該スリーブとの間に配置され、該スリーブを該中間保持位置に向かって付勢するスプリングと、
を備える雌型管継手部材を提供する。
【０００８】
当該雌型管継手部材においては、スプリングによって中間保持位置に向かって付勢されているスリーブを中間保持位置から前方に変位させて前方解放位置とすることにより施錠子が施錠解除位置へと変位可能となって雄型管継手部材との連結が可能となる。したがって、スリーブを把持して雌型管継手部材を雄型管継手部材に押しつけるようにするだけで、雄型管継手部材に当接した継手本体に対してスリーブは相対的に前方に変位して前方解放位置となり、雌型管継手部材は雄型管継手部材に連結されるようになる。これにより従来の管継手にみられた上述のような連結操作のやりにくさは解消され、より迅速且つ容易に連結操作を行うことが可能となる。また、連結された状態においてスリーブを後方に引くとスリーブは継手本体に対して後方に変位して施錠子が施錠解除位置へ変位可能な後方解放位置となるため、スリーブを後方に引くだけで雌型管継手部材は雄型管継手部材から離脱できる。よって、上述のように接続時の操作性を向上させながら、離脱時の操作性は従来の管継手と同等となる。
【０００９】
好ましくは、該スリーブが、該中間保持位置において、該後方解放位置への変位が許容される後退許容位置と、該前方解放位置への変位は許容されるが該後方解放位置への変位は阻止される後退阻止位置との間で、該継手本体の周方向で回動可能とすることができる。
【００１０】
スリーブを後退阻止位置とすることでスリーブが後方解放位置に変位しないようになるため、連結状態においてスリーブを後退阻止位置とすることで誤ってスリーブが後方に引かれて連結が解除されてしまうことが防止される。また、スリーブを後退阻止位置とした状態で当該雌型管継手部材を雄型管継手部材に連結するようにすれば、連結が完了した時点でスリーブを後方に引いて連結を解除することができない状態となるため、従来の管継手においては必要であった連結後にスリーブをロックするための操作が必要なくなる。これにより、スリーブをロック状態とすることを忘れてスリーブを後方に引くことが可能な状態のままにされる可能性が低減される。
【００１１】
具体的には、
該継手本体と該スリーブとのうちの一方が、他方に向かって突出する係止突起を有し、該他方が該係止突起を受け入れる突起受部を有しており、
該スリーブが該後退許容位置において該中間保持位置から該後方解放位置に向かって動かされたときには該係止突起が該突起受部を通り該スリーブは該後退解放位置にまで変位され、該スリーブが該後退阻止位置において該中間保持位置から該後方解放位置に向かって動かされたときには、該係止突起が該他方に該長手軸線の方向で当接して該スリーブが該後方解放位置にまで変位することが阻止されるようにすることができる。
【００１２】
具体的には、
該突起受部が、該スリーブが該中間保持位置において該後退許容位置と該後退阻止位置との間で回動したときに該係止突起が通る周方向中間通路と、該スリーブが該後退許容位置において該中間保持位置から該後方解放位置に変位したときに該係止突起が通るように該周方向中間通路から前方に延在する長手方向前方通路と、該スリーブが該後退阻止位置において該中間保持位置から該前方解放位置に変位したときに該係止突起が通るように該周方向中間通路から後方に延在する長手方向後方通路と、を有し、
該スリーブが該後退許容位置において該前方解放位置に向かって動かされたときには、該係止突起が該周方向中間通路において該他方に該長手軸線の方向で当接して該スリーブが該前方解放位置にまで変位することが阻止されるようにすることができる。
【００１３】
このような構成により、スリーブは、後退許容位置にあるときには長手軸線の方向では中間保持位置と後方解放位置との間でのみ変位可能となり、後退阻止位置にあるときには長手軸線の方向では中間保持位置と前方解放位置との間でのみ変位可能となる。当該雌型管継手部材を雄型管継手部材に連結する際にはスリーブを後退阻止位置とすることが必要となるため、スリーブを後退許容位置としたまま連結をして連結後にスリーブが後方解放位置に変位可能な状態のままとされることをより確実に防止することが可能となる。
【００１４】
好ましくは、
該スプリングの一端が該継手本体に該周方向で固定されるように保持され、該スプリングの他端が該スリーブに該周方向で固定されるように保持されており、該スプリングが該スリーブを該後退阻止位置と該後退許容位置との間の前進後退阻止位置に向かって付勢するようにされており、
該スリーブが該前進後退阻止位置において該前方解放位置及び該後方解放位置に向かって動かされたときには、該係止突起が該周方向中間通路において該他方に該長手軸線の方向で当接して該スリーブが該前方解放位置及び該後方解放位置にまで変位することが阻止されるようにすることができる。
【００１５】
具体的には、
該継手本体の外周面が、前方に面する第１支持面と、該第１支持面よりも前方の位置において後方に面する第２支持面とを有し、
該スリーブの内周面が、前方に面する第３支持面と、該第３支持面よりも前方の位置において後方に面する第４支持面とを有し、
該スプリングが、該第１支持面と該第２支持面との間であり且つ該第３支持面と第４支持面との間である位置に設定され、
該スリーブが該中間保持位置から前方に変位したときには、該スプリングは該第２支持面と該第３支持面との間で圧縮されて該スリーブを該継手本体に対して後方に付勢し、該スリーブが該中間位置から後方に変位したときには、該スプリングは該第１支持面と該第４支持面との間で圧縮されて該スリーブを該継手本体に対して前方に付勢するようにすることができる。
【００１６】
また本発明は、
上記のいずれかの雌型管継手部材と、
該雌型管継手部材の該流体通路内に挿入されて該雌型管継手部材に取り外し可能に連結される雄型管継手部材と、
を備える管継手を提供する。
【００１７】
以下、本発明に係る雌型管継手部材及び管継手の実施形態を添付図面に基づき説明する。
【図面の簡単な説明】
【００１８】
【図１Ａ】本発明の第１の実施形態に係る管継手の連結前の状態における外観図である。
【図１Ｂ】図１Ａの管継手の連結途中の状態における外観図であり、雌型管継手部材のスリーブが前方解放位置にあるときの図である。
【図１Ｃ】図１Ａの管継手の連結状態における外観図であり、雌型管継手部材のスリーブが中間保持位置かつ後退阻止位置にあるときの図である。
【図１Ｄ】図１Ａの管継手の連結状態における外観図であり、雌型管継手部材のスリーブが中間保持位置かつ後退許容位置にあるときの図である。
【図１Ｅ】図１Ａの管継手の離脱途中の状態における外観図であり、雌型管継手部材のスリーブが後方解放位置にあるときの図である。
【図２Ａ】図１のIIa−IIa線における断面図である。
【図２Ｂ】図１のIIb−IIb線における断面図である。
【図２Ｃ】図１のIIc−IIc線における断面図である。
【図２Ｄ】図１のIId−IId線における断面図である。
【図２Ｅ】図１のIIe−IIe線における断面図である。
【図３Ａ】本発明の第２の実施形態に係る管継手の連結状態における断面図であり、雌型管継手部材のスリーブが中間保持位置かつ後退阻止位置にあるときの図である。
【図３Ｂ】図３Ａの管継手の連結途中の状態における断面図であり、雌型管継手部材のスリーブが前方解放位置かつ後退阻止位置にあるときの図である。
【図３Ｃ】図３Ａの管継手の離脱途中の状態における断面図であり、雌型管継手部材のスリーブが後方解放位置かつ後退許容位置にあるときの図である。
【図４Ａ】図３ＡのIVa−IVa線における断面図である。
【図４Ｂ】図３ＣのIVc−IVc線における断面図である。
【図５】本発明の第３の実施形態に係る雌型管継手部材の外観図である。
【図６】図５の雌型管継手部材のVI−VI線における断面図である。
【発明を実施するための形態】
【００１９】
本発明の第１の実施形態に係る管継手１００は、図１Ａ−Ｅ及び図２Ａ−Ｅに示すように、互いに取り外し可能に連結される雌型管継手部材１１０と雄型管継手部材１７０とからなる。
【００２０】
雌型管継手部材１１０は、図２Ａに示すように、前端開口１１２から後端開口１１４にまで長手軸線Ｌの方向に延在する流体通路１１６を有する筒状の継手本体１１８と、継手本体１１８に形成された施錠子保持孔１２０内に保持された施錠子１２２と、継手本体１１８の外周面１２４上に配置された筒状のスリーブ１２６と、継手本体１１８とスリーブ１２６との間に配置されたスプリング１２８と、を備える。施錠子１２２は、施錠子保持孔１２０内において、継手本体１１８の内周面１３０から内側に突出した施錠位置（図２Ａ、２Ｃ、２Ｄ）と、施錠位置よりも外側に位置して継手本体１１８の内周面１３０から突出していない施錠解除位置（図２Ｂ、２Ｅ）との間で、継手本体１１８の径方向で変位可能となっている。
【００２１】
スリーブ１２６の内周面１３２には、内側に突出した施錠子支持突部１３４と、施錠子支持突部１３４の前方に位置する前方施錠子受入部１３６と、施錠子支持突部１３４の後方に位置する後方施錠子受入部１３８とが形成されている。スリーブ１２６は、施錠子支持突部１３４が施錠子１２２に径方向外側から係合して施錠子１２２を施錠位置に保持する中間保持位置（図１Ａ、１Ｃ、１Ｄ、図２Ａ、２Ｃ、２Ｄ）と、中間保持位置よりも前方に位置し施錠子１２２を後方施錠子受入部１３８に受け入れて施錠子１２２が施錠解除位置となることを許容する前方解放位置（図１Ｂ、図２Ｂ）と、中間保持位置よりも後方に位置し施錠子１２２を前方施錠子受入部１３６に受け入れて施錠子１２２が施錠解除位置となることを許容する後方解放位置（図１Ｅ、図２Ｅ）との間で長手軸線Ｌの方向に変位可能に取り付けられている。
【００２２】
継手本体１１８の外周面１２４には、図２Ａ−Ｅに示すように、スリーブ１２６に向かって径方向外側に突出するピン（係止突起）１４０が設けられている。また、スリーブ１２６には、図１Ａ−Ｅに示すように、ピン１４０を受け入れる大きさとされた切欠き部（突起受部）１４２が設けられている。スリーブ１２６は、切欠き部１４２がピン１４０と周方向で整合していない後退阻止位置（図１Ａ−Ｃ）と、切欠き部１４２がピン１４０と周方向で整合している後退許容位置（図１Ｄ−Ｅ）との間で周方向に回動可能となっている。スリーブ１２６の周方向位置が後退阻止位置となっているときには、スリーブ１２６を中間保持位置から後方解放位置に向かって動かそうとすると、ピン１４０がスリーブ１２６の後端面１４４に長手軸線Ｌの方向で当接するため、スリーブ１２６が後方解放位置にまで変位することが阻止される。一方でスリーブ１２６の周方向位置が後退許容位置にあるときには、スリーブ１２６を中間保持位置から後方解放位置に向かって動かすと、ピン１４０はスリーブ１２６の切欠き部１４２に受け入れられて切欠き部１４２内を通り、スリーブ１２６は後方解放位置にまで変位する。このような構成により、後述するように、連結状態においてスリーブ１２６が誤って後方に引かれて連結が解除されてしまうことを防止するようにできる。
【００２３】
継手本体１１８の外周面１２４には、段差部１４６により構成された前方に面する第１支持面１４８と、ストップリング１５０により構成された後方に面する第２支持面１５２とが設けられている。また、スリーブ１２６の内周面１３２には、ストップリング１５４により構成された前方に面する第３支持面１５６と、段差部１５８により構成された後方に面する第４支持面１６０とが設けられている。スプリング１２８は、継手本体１１８の第１支持面１４８と第２支持面１５２との間であり且つスリーブ１２６の第３支持面１５６と第４支持面１６０との間である位置に配置されている。スプリング１２８の前後にはリング状のスプリング支持部材１６２、１６２が配置されており、スプリング１２８はこれらスプリング支持部材１６２、１６２を介して第１乃至第４支持面１４８、１５２、１５６、１６０とそれぞれ係合する。このような構成により、スリーブ１２６が中間保持位置から前方に変位したときには、スプリング１２８は継手本体１１８の第２支持面１５２とスリーブ１２６の第３支持面１５６との間で圧縮されてスリーブ１２６を中間保持位置に向かって後方に付勢し、スリーブ１２６が中間保持位置から後方に変位したときには、スプリング１２８は継手本体１１８の第１支持面１４８とスリーブ１２６の第４支持面１６０との間で圧縮されてスリーブ１２６を中間保持位置に向かって前方に付勢する。すなわち、スリーブ１２６はスプリング１２８によって常に中間保持位置に向かって長手軸線Ｌの方向で付勢されるようになっている。
【００２４】
雄型管継手部材１７０は、長手軸線Ｌの方向に延在する流体通路１７２と、その外周面１７４に設けられた環状の施錠子係合溝１７６とを有する。
【００２５】
雌型管継手部材１１０を雄型管継手部材１７０に連結する際には、雌型管継手部材１１０のスリーブ１２６を把持して、雄型管継手部材１７０が雌型管継手部材１１０の前端開口１１２から流体通路１１６内に挿入されるように、雌型管継手部材１１０を雄型管継手部材１７０に対して近づけるようにする。このとき、スリーブ１２６はスプリング１２８により中間保持位置に維持され、また施錠子１２２はスリーブ１２６によって施錠位置に保持された状態となっている（図１Ａ、図２Ａ）。なお、スリーブ１２６は、図１Ａに示すように、その周方向での位置が後退阻止位置となっていることが好ましい。雄型管継手部材１７０が挿入されていくと雄型管継手部材１７０の前端部１７８と施錠子１２２とが当接して雄型管継手部材１７０の雌型管継手部材１１０内へのそれ以上の挿入が一時的に阻止される。スリーブ１２６をさらに雄型管継手部材１７０の側に向かって前方に押し込むと、スリーブ１２６は継手本体１１８に対して前方に変位していき、前方解放位置にまで変位すると、施錠子１２２は後方施錠子受入部１３８に受け入れられて施錠解除位置となる。そうすると雄型管継手部材１７０と施錠子１２２との長手軸線Ｌの方向での係合が解除されて雄型管継手部材１７０は雌型管継手部材１１０の流体通路１１６内にさらに挿入される（図１Ｂ、図２Ｂ）。雄型管継手部材１７０の施錠子係合溝１７６が施錠子１２２と長手軸線Ｌの方向で整合する位置にまで雄型管継手部材１７０が挿入されると、施錠子１２２は施錠子係合溝１７６により施錠位置に変位可能な状態となる。この状態でスリーブ１２６から手を離すと、スリーブ１２６はスプリング１２８の付勢力によって後方に変位して中間保持位置にまで戻る（図１Ｃ、図２Ｃ）。施錠子１２２は雄型管継手部材１７０の施錠子係合溝１７６に係合した状態でスリーブ１２６により施錠位置に保持され、これにより当該管継手１００は、雌型管継手部材１１０と雄型管継手部材１７０との連結が完了した状態となる。なお、雌型管継手部材１１０の継手本体１１８の内周面１３０にはＯリング１８０が配置されており、連結状態においてはこのＯリング１８０により継手本体１１８の内周面１３０と雄型管継手部材１７０の外周面１７４とが密封係合される。
【００２６】
雌型管継手部材１１０を雄型管継手部材１７０から離脱するときには、まず、スリーブ１２６の周方向位置が後退許容位置（図１Ｄ、図２Ｄ）となるようにスリーブ１２６を回動させる。スリーブ１２６が後退許容位置にある状態でスリーブ１２６を把持して後方に引くと、雌型管継手部材１１０の継手本体１１８は施錠子１２２を介して雄型管継手部材１７０に連結されているため、スリーブ１２６は継手本体１１８に対して後方に変位する。スリーブ１２６が後方解放位置にまで変位すると、施錠子１２２が前方施錠子受入部１３６に受け入れられて施錠解除位置にまで変位可能な状態となり、雄型管継手部材１７０の施錠子係合溝１７６と施錠子１２２との係合が解除されて、雌型管継手部材１１０が雄型管継手部材１７０から離脱される（図１Ｅ、図２Ｅ）。
【００２７】
連結を開始する際にスリーブ１２６を図１Ａに示すような後退阻止位置としておけば、連結が完了した時点において図１Ｃに示すようにスリーブ１２６を後方に変位させることができない状態となる。したがって、連結後にスリーブ１２６をロックする操作を行うことなく、スリーブ１２６の後退が阻止される状態となり、スリーブ１２６が誤って引かれることにより連結が不意に解除されてしまうことが防止される。
【００２８】
本発明の第２の実施形態における管継手２００の雌型管継手部材２１０は、図３Ａ−Ｃ及び図４Ａ−Ｂに示すように、係止突起としてのピン２４０がスリーブ２２６側に配置され、突起受部としての面取り部２４２が継手本体２１８の外周面２２４に形成されている点で第１の実施形態における雌型管継手部材１１０と異なる。当該雌型管継手部材２１０においては、ピン２４０は継手本体２１８に向かって突出するようにスリーブ２２６に配置されている。また、面取り部２４２は継手本体２１８の外周面２２４上に点対称となる位置に２つ設けられている。図３Ａ、３Ｂ、及び図４Ａに示すように、スリーブ２２６が、スリーブ２２６のピン２４０と継手本体２１８の面取り部２４２との位置が周方向で整合していない後退阻止位置にあるときには、スリーブ２２６を後方に動かそうとするとピン２４０が継手本体２１８のピン係止面２４４に長手軸線Ｌの方向で当接して、図３Ｃに示すような後方解放位置にまで変位できない。一方で図３Ｂに示す前方解放位置には変位させることができる。スリーブ２２６を、図４Ｂに示すように、スリーブ２２６のピン２４０が継手本体２１８の面取り部２４２と周方向で整合した後退許容位置にまで回動させた状態でスリーブ２２６を後方に向かって引くと、ピン２４０は継手本体２１８に接触することなく面取り部２４２を通り、スリーブ２２６は図３Ｃに示す後方解放位置にまで変位する（図３Ｃ、図４Ｂでは継手本体２１８が回転したように示されている）。当該管継手２００における雌型管継手部材２１０と雄型管継手部材２７０との連結および離脱の際の操作は、第１の実施形態に係る管継手１００と同様である。
【００２９】
本発明の第３の実施形態における雌型管継手部材３１０は、図５及び図６に示すように、スリーブ３２６に突起受部としてのピン受入通路３４２が形成されている点において、第１の実施形態における雌型管継手部材１１０と異なる。当該雌型管継手部材３１０におけるピン受入通路３４２は、図５に示すように、スリーブ３２６が中間保持位置にあるときに継手本体３１８に設けられたピン３４０を受け入れる位置に形成された周方向に延びる周方向中間通路３４２ａと、周方向中間通路３４２ａの図で見て下端の位置から前方に延在する長手方向前方通路３４２ｂと、周方向中間通路３４２ａの図で見て上端の位置から後方に延在する長手方向後方通路３４２ｃと、からなっている。スリーブ３２６は、長手方向後方通路３４２ｃがピン３４０と長手軸線Ｌの方向で整合する後退阻止位置と、長手方向前方通路３４２ｂがピン３４０と長手軸線Ｌの方向で整合する後退許容位置との間で周方向に回動可能となっている。スリーブ３２６が後退阻止位置にあるときには、スリーブ３２６を前方に動かすとピン３４０は長手方向後方通路３４２ｃを通りスリーブ３２６は前方解放位置にまで変位するが、後方に動かそうとするとピン３４０が周方向中間通路３４２ａにおいてスリーブ３２６と長手軸線Ｌの方向で当接してスリーブ３２６が後方解放位置にまで変位することが阻止される。一方で、スリーブ３２６が後退許容位置にあるときには、スリーブ３２６を後方に動かすとピン３４０は長手方向前方通路３４２ｂを通りスリーブ３２６は後方解放位置にまで変位するが、前方に動かそうとするとピン３４０が周方向中間通路３４２ａにおいてスリーブ３２６と長手軸線Ｌの方向で当接してスリーブ３２６が前方解放位置にまで変位することが阻止される。第１及び第２の実施形態における雌型管継手部材１１０、２１０においては、スリーブ１２６、２２６の周方向位置を後退阻止位置としなくても、スリーブ１２６、２２６は前方解放位置にまで変位可能であり、したがって、スリーブ１２６、２２６を把持して雌型管継手部材１１０、２１０を雄型管継手部材１７０、２７０に押し込むことにより連結することが可能となっている。それに対して当該雌型管継手部材３１０においては、スリーブ３２６を後退阻止位置としないとスリーブ３２６は前方解放位置に変位できずそのような連結ができないため、連結する際には必然的にスリーブ３２６は後退阻止位置となっており、よって連結完了時点ではスリーブ３２６の後退が阻止された状態に必ずなっている。
【００３０】
雌型管継手部材３１０は、スプリング３２８とそれを保持する部分の構成においても第１及び第２の実施形態における雌型管継手部材１１０、２１０と異なる。当該雌型管継手部材３１０における継手本体３１８の外周面３２４とスリーブ３２６の内周面３３２には、それぞれ長手軸線Ｌの方向に延びるスプリング保持長穴３８２、３８４が設けられている。スプリング３２８の後端３２８ａは、径方向内側に曲げられて、継手本体３１８のスプリング保持長穴３８２によって継手本体３１８に対して周方向で固定された状態で保持されている。同様に、スプリング３２８の前端３２８ｂは、径方向外側に曲げられて、スリーブ３２６のスプリング保持長穴３８４によってスリーブ３２６に対して周方向で固定された状態で保持されている。このスプリング３２８によって、スリーブ３２６は、後退阻止位置と後退許容位置との間の前進後退阻止位置（図５）に向かって周方向に付勢される。したがって、スリーブ３２６は、周方向での外力が作用していない状態では前進後退阻止位置に保持される。周方向位置を後退許容位置としスリーブ３２６を後方に変位させた際には、スプリング３２８の後端３２８ａ及び前端３２８ｂはそれぞれ対応するスプリング保持長穴３８２、３８４に対して長手軸線Ｌの方向においても変位しないが、周方向位置を後退阻止位置としスリーブ３２６を前方に変位させた際には、スプリング３２８の後端３２８aは継手本体３１８のスプリング保持長穴３８２内を相対的に前方に変位し、スプリング３２８の前端３２８ｂはスリーブ３２６のスプリング保持長穴３８４内を相対的に後方に変位する。なお、スプリング３２８の後端３２８ａをスリーブ３２６の側に保持し、前端３２８ｂを継手本体３１８の側に保持するように構成してもよい。スリーブ３２６が前進後退阻止位置にあるときには、スリーブ３２６を前方解放位置及び後方解放位置に向かって動かそうとしても、ピン３４０が周方向中間通路３４２ａにおいてスリーブ３２６に長手軸線Ｌの方向で当接するため、スリーブ３２６は前方解放位置にも後方解放位置にも変位しない。第１及び第２の実施形態においては、連結状態においてスリーブ１２６、２２６が後退阻止位置となっていたとしてもスリーブ１２６、２２６を前方に押して前方解放位置とすることは可能であるため、雌型管継手部材１１０、２１０と雄型管継手部材１７０、２７０との連結解除が完全に防止されるわけではないが、当該雌型管継手部材３１０のようにスリーブ３２６に前進後退阻止位置を設定することによりスリーブ３２６の前方への変位も阻止されるため、より確実に誤った離脱を防止することが可能となる。
【００３１】
本発明に係る雌型管継手部材１１０、２１０、３１０においては、上述のように、スリーブ１２６、２２６、３２６が施錠子１２２、２２２、３２２を施錠位置に保持する中間保持位置と、中間保持位置から前方に位置し施錠子１２２、２２２、３２２が施錠解除位置に変位可能となる前方解放位置と、中間保持位置から後方に位置し施錠子１２２、２２２、３２２が施錠解除位置に変位可能となる後方解放位置との間で変位可能となっている。このような構成により、スリーブ１２６、２２６、３２６を把持して雌型管継手部材１１０、２１０、３１０を雄型管継手部材１７０、２７０に押しつけるようにするだけで、雌型管継手部材１１０、２１０、３１０を雄型管継手部材１７０、２７０に連結することができるようになる。これにより、従来の管継手にみられた上述のような連結操作のやりにくさは解消され、より迅速且つ容易に連結操作を行うことが可能となる。
【００３２】
また、上記実施形態のようにスリーブ１２６、２２６、３２６を後退許容位置と後退阻止位置との間で周方向に回動可能な構成とし、上記実施形態におけるピン１４０、２４０、３４０のような係止突起や切欠き部１４２、面取り部２４２、ピン受入通路３４２のような突起受部を設けるようにすれば、スリーブ１２６、２２６、３２６を後退阻止位置にして連結操作を行うことで連結が完了した時点でスリーブ１２６、２２６、３２６を後方に引くことができない状態となるため、連結後にロック操作を忘れてスリーブ１２６、２２６、３２６を後方に引いて連結を解除可能な状態のままとしてしまう事態が低減される。
【００３３】
なお、上記実施形態においては、係止突起として別体の柱状のピン１４０、２４０、３４０を使用しているが、球状部材を圧入するようにしてもよいし、継手本体１１８、２１８、３１８又はスリーブ１２６、２２６、３２６に一体の部材として直接形成してもよい。施錠子１２２、２２２、３２２は球状である必要は必ずしも無く、他の形状としてもよい。スリーブ１２６、２２６、３２６を中間保持位置に付勢するスプリング１２８、２２８、３２８は、スリーブを前方に付勢するスプリングと後方に付勢するスプリングとの２つにより構成するようにしてもよい。各実施形態における構成を任意に組み合わせることも当然に可能であり、例えば、第２の実施形態における突起受部としての面取り部２４２を第３の実施形態におけるピン受入通路３４２のような構成としてもよいし、第１及び第２の実施形態におけるスプリング１２８、２２８を第３の実施形態におけるスプリング３２８のように、スリーブを周方向でも所定の位置に向かって付勢するように構成してもよい。
【符号の説明】
【００３４】
管継手１００；雌型管継手部材１１０；前端開口１１２；後端開口１１４；流体通路１１６；継手本体１１８；施錠子保持孔１２０；施錠子１２２；（継手本体１１８の）外周面１２４；スリーブ１２６；スプリング１２８；（継手本体１１８の）内周面１３０；（スリーブ１２６の）内周面１３２；施錠子支持突部１３４；前方施錠子受入部１３６；後方施錠子受入部１３８；ピン（係止突起）１４０；切欠き部（突起受部）１４２；後端面１４４；（継手本体１１８の）段差部１４６；第１支持面１４８；ストップリング１５０；第２支持面１５２；ストップリング１５４；第３支持面１５６；段差部１５８；第４支持面１６０；スプリング支持部材１６２；雄型管継手部材１７０；流体通路１７２；外周面１７４；施錠子係合溝１７６；前端部１７８；Ｏリング１８０；
管継手２００；雌型管継手部材２１０；継手本体２１８；施錠子２２２；外周面２２４；スリーブ２２６；スプリング２２８；ピン２４０；面取り部２４２；ピン係止面２４４；雄型管継手部材２７０；
雌型管継手部材３１０；継手本体３１８；施錠子３２２；（継手本体３１８の）外周面３２４：スリーブ３２６；スプリング３２８；前端３２８ａ；後端３２８ｂ；（スリーブ３２６の）内周面３３２；ピン３４０；ピン受入通路３４２；周方向中間通路３４２ａ；長手方向前方通路３４２ｂ；長手方向後方通路３４２ｃ；スプリング保持長穴３８２、３８４；
長手軸線Ｌ；
【図１Ａ】
0006383372.tif 000002
【図１Ｂ】
0006383372.tif 000003
【図１Ｃ】
0006383372.tif 000004
【図１Ｄ】
0006383372.tif 000005
【図１Ｅ】
0006383372.tif 000006
【図２Ａ】
0006383372.tif 000007
【図２Ｂ】
0006383372.tif 000008
【図２Ｃ】
0006383372.tif 000009
【図２Ｄ】
0006383372.tif 000010
【図２Ｅ】
0006383372.tif 000011
【図３Ａ】
0006383372.tif 000012
【図３Ｂ】
0006383372.tif 000013
【図３Ｃ】
0006383372.tif 000014
【図４Ａ】
0006383372.tif 000015
【図４Ｂ】
0006383372.tif 000016
【図５】
0006383372.tif 000017
【図６】
0006383372.tif 000018